(57)【要約】【課題】羽根車に付着した油、埃汚れを自動洗浄するレンジフードにおいて、羽根車の洗浄度合いを向上させたレンジフードを提供することを目的とする。【解決手段】電動機１０により回転する羽根車１１と、羽根車１１に一体に設けた油捕集機構部１９と、油捕集機構部１９を洗浄液３１に浸漬させるための洗浄ケーシング３０と、羽根車１１に洗浄液３１を散水する散水ノズル３４と、洗浄ケーシング３０に、洗浄液３１を貯排する開閉弁３６とを設け、洗浄工程では開閉弁３６を閉じて洗浄液を貯め、油捕集機構部１９を回転させながら浸漬して洗浄を行い、洗浄液排出工程では開閉弁３６を開いて洗浄液３１を排出する洗浄機能付レンジフードにおいて、洗浄液排出工程では、羽根車１１を停止させ、散水ノズル３４から羽根車１１に洗浄液３１を散水し、羽根車１１のすすぎを行うことにより、羽根車の洗浄度合いを向上させることができるレンジフード。【選択図】図１
2018004101.tif 000002
【特許請求の範囲】
【請求項１】
電動機により回転し、ブレードを有する羽根車と、
前記ブレードを洗浄液に浸漬させるための洗浄ケーシングと、
前記羽根車に前記洗浄液を散水する散水ノズルと、
前記洗浄ケーシングに、前記洗浄液を貯排する開閉弁とを設け、
洗浄工程では前記開閉弁を閉じて洗浄液を貯め、前記羽根車を回転させながら浸漬して洗浄を行い、
洗浄液排出工程では前記開閉弁を開いて前記洗浄液を排出する洗浄機能付レンジフードにおいて、
前記洗浄液排出工程では、前記羽根車を停止させ、前記散水ノズルから前記羽根車に洗浄液を散水し、羽根車のすすぎを行うことを特徴とするレンジフード。
【請求項２】
前記洗浄ケーシングは、
スクロール板と、
前記スクロール板を挟むように配置したケーシング前面板とケーシング背面板と、
前記ケーシング前面板にオリフィスとを備え、
前記オリフィスもしくは前記ケーシング前面板に前記散水ノズルを設けたことを特徴とする請求項１記載のレンジフード。
【請求項３】
電動機により回転し、ブレードを有する羽根車と、
前記ブレードを洗浄液に浸漬させるための洗浄ケーシングと、
前記羽根車に前記洗浄液を散水する散水ノズルと、
前記洗浄ケーシングに前記洗浄液を貯排する開閉弁とを設け、
洗浄工程では前記開閉弁を閉じて洗浄液を貯め、前記羽根車を回転させながら浸漬して洗浄を行い、
洗浄液排出工程では前記開閉弁を開いて前記洗浄液を排出する洗浄機能付レンジフードにおいて、
前記洗浄ケーシングは、
スクロール板と、
前記スクロール板を挟むように配置したケーシング前面板とケーシング背面板とを備え、
前記スクロール板の舌部側であり洗浄液の貯水面より上部に前記散水ノズルを設け、
前記洗浄液排出工程において前記羽根車が洗浄液から露出した後に前記羽根車を回転軸を中心として回転方向に第一の回転角度で回転させ、
前記散水ノズルから前記羽根車に洗浄液を散水しながら前記回転軸を中心として回転方向に第二の回転角度で回転させて羽根車のすすぎを行うことを特徴とするレンジフード。
【発明の詳細な説明】
【技術分野】
【０００１】
本発明は、レンジフードに取り付ける羽根車または油捕集機構部の汚れ除去に関するものである。
【背景技術】
【０００２】
従来、この種のレンジフードは、図１０に示すように、調理器具（図示せず）の上方に、調理器具から発生する油煙や周囲に浮遊する埃等を捕集する吸込口１０１を設けたフード１０２を壁面１０３に設置し、フード１０２には、天面に屋外とダクト１０４を介して連通する排出口１０５を設け、内部に回転軸１０６を略水平にして配置した電動機１０７と、回転軸１０６に取り付けた羽根車１０８と、羽根車１０８を包括した洗浄ケーシング１０９を配設し、この羽根車１０８を介し吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する貯水装置１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６は洗浄ケーシング１０９内に洗浄液１１２を貯排する開閉弁１１７を設け、開閉弁１１７の下方に排水トレイ１１８を構成している。
【０００４】
図１１に示すように、遠心ファンの羽根車１０８は、主板１１９に立設した複数のブレード１２０を備え、羽根車１０８内部には、リング状の油捕集機構部１２１を、ブレード１２０の外縁から１５ｍｍ程度の距離を離して、回転軸１０６方向に所定間隔を空けて複数枚取り付けている。
【０００５】
以下、そのレンジフードについて図１２を参照しながら説明する。
【０００６】
洗浄時には、羽根車１０８の回転軸１０６より下方の部分が、洗浄ケーシング１０９内で貯水装置（図示せず）から供給された洗浄液１１２に浸漬される。羽根車１０８および油捕集機構部１２１には、レンジフードの使用に伴い汚れが付着しているため、羽根車１０８を回転軸１０６で連続的に回転させることで、汚れが付着した部分を洗浄液１１２に浸漬させて洗浄することができる（例えば、特許文献１を参照）。
【先行技術文献】
【特許文献】
【０００７】
【特許文献１】特開２０１４−０６２７１０号公報
【発明の概要】
【発明が解決しようとする課題】
【０００８】
従来のレンジフードにおいては、洗浄後に洗浄ケーシングから汚れを含む洗浄液を排出する際に、羽根車への油・埃汚れの再付着を低減するために羽根車を回転させながら洗浄後の洗浄液を排出していた。しかしながら、これにより洗浄後の洗浄液に含まれる油・埃汚れが羽根車全体に薄く再付着してしまっていた。
【０００９】
そこで本発明は、上記従来の課題を解決するものであり、羽根車への汚れの再付着を抑制し、羽根車の洗浄度合いを更に向上させたレンジフードを提供することを目的としている。
【課題を解決するための手段】
【００１０】
そして、この目的を達成するために、本発明は、電動機により回転し、ブレードを有する羽根車と、前記ブレードを洗浄液に浸漬させるための洗浄ケーシングと、前記羽根車に洗浄液を散水する散水ノズルと、前記洗浄ケーシングに、前記洗浄液を貯排する開閉弁とを設け、洗浄工程では前記開閉弁を閉じて洗浄液を貯め、前記羽根車を回転させながら浸漬して洗浄を行い、洗浄液排出工程では前記開閉弁を開いて前記洗浄液を排出する洗浄機能付レンジフードにおいて、前記洗浄液排出工程では、前記羽根車を停止させ、前記散水ノズルから前記羽根車に洗浄液を散水し、羽根車のすすぎを行うことを特徴としたものであり、これにより所期の目的を達成するものである。
【発明の効果】
【００１１】
本発明は、洗浄液を排出する際に羽根車を停止させることで、洗浄後の洗浄液に含まれる汚れが羽根車に再付着する部位を限定し、洗浄後の洗浄液を排出した後に再付着部に対して散水ノズルで清浄な洗浄液を散水することを特徴としたものであり、これにより、洗浄液が再付着した汚れを効果的にすすぐことができるため、羽根車の洗浄度合いを従来よりも向上させることができるという効果を得ることができる。
【図面の簡単な説明】
【００１２】
【図１】本発明の実施の形態１のレンジフードを示す側面断面構成図
【図２】同レンジフードの羽根車の種類図
【図３】同レンジフードの羽根車の正面断面構成図
【図４】同レンジフードの羽根車の構成斜視図
【図５】同レンジフードのケーシング構成図
【図６】同レンジフードの特徴を示す回転軸の垂直方向から見た断面図
【図７】同レンジフードの洗浄工程とすすぎ工程の動作を示すフローチャート
【図８】本発明の実施の形態２のレンジフードを示す正面断面構成図
【図９】同レンジフードの洗浄工程とすすぎ工程の動作を示すフローチャート
【図１０】従来のレンジフードを示す側面断面構成図
【図１１】同レンジフードの羽根車と油捕集機構部の構成を示す図
【図１２】同レンジフードを示す正面断面構成図
【発明を実施するための形態】
【００１３】
本発明の請求項１記載のレンジフードは、電動機により回転し、ブレードを有する羽根車と、前記ブレードを洗浄液に浸漬させるための洗浄ケーシングと、前記羽根車に洗浄液を散水する散水ノズルと、前記洗浄ケーシングに、前記洗浄液を貯排する開閉弁とを設け、洗浄工程では前記開閉弁を閉じて洗浄液を貯め、前記羽根車を回転させながら浸漬して洗浄を行い、洗浄液排出工程では前記開閉弁を開いて前記洗浄液を排出する洗浄機能付レンジフードにおいて、前記洗浄液排出工程では、前記羽根車を停止させ、前記散水ノズルから前記羽根車に洗浄液を散水し、羽根車のすすぎを行うことを特徴とするものである。
【００１４】
これにより、洗浄液が再付着した汚れを効果的にすすぐことができるため、羽根車の洗浄度合いを従来よりも向上させることができるという効果を奏する。
【００１５】
また、散水ノズルから前記羽根車に洗浄液を散水できるように散水ノズルの位置を最適化できるため、羽根車の洗浄度合いを従来よりも向上させることができるという効果を奏する。
【００１６】
また、洗浄度合いを向上させるためにノズルを備えた従来のレンジフードにおいては、洗浄工程中、常時散水を行うことを特徴としていた。そのため、例えば、洗浄液貯水タンクを備えて洗浄液を供給する方法など、一回の洗浄に使用できる洗浄液量に限りがある場合、実施が困難であるという課題があった。
【００１７】
しかし、本発明の構成によれば、洗浄度合いを向上させるために実施する散水ノズルからの散水はすすぎ時のみ行えば良く、従来よりも少ない洗浄液量で洗浄度合いを向上させることができるという効果を奏する。
【００１８】
また、請求項２記載のレンジフードは、前記洗浄ケーシングは、スクロール板と、前記スクロール板を挟むように配置したケーシング前面板とケーシング背面板と、前記ケーシング前面板にオリフィスとを備え、前記オリフィスもしくは前記ケーシング前面板に前記散水ノズルを備えた構成とする。
【００１９】
これにより、前面の羽根車開口部から、羽根車が洗浄液に浸漬している部位に向かって直接的に洗浄液を散水することができるので、汚れの再付着部位を容易に洗浄することができ、羽根車の洗浄度合いを向上させることができるという効果を奏する。
【００２０】
また、請求項３記載のレンジフードは、電動機により回転し、ブレードを有する羽根車と、前記ブレードを洗浄液に浸漬させるための洗浄ケーシングと、前記羽根車に前記洗浄液を散水する散水ノズルと、前記洗浄ケーシングに前記洗浄液を貯排する開閉弁とを設け、洗浄工程では前記開閉弁を閉じて洗浄液を貯め、前記羽根車を回転させながら浸漬して洗浄を行い、洗浄液排出工程では前記開閉弁を開いて前記洗浄液を排出する洗浄機能付レンジフードにおいて、前記洗浄ケーシングは、スクロール板と、前記スクロール板を挟むように配置したケーシング前面板とケーシング背面板とを備え、前記スクロール板の舌部側であり洗浄液の貯水面より上部に前記散水ノズルを設け、前記洗浄液排出工程において前記羽根車が洗浄液から露出した後に前記羽根車を回転軸を中心として回転方向に第一の回転角度で回転させ、前記散水ノズルから羽根車に洗浄液を散水しながらさらに回転軸を中心として回転方向に第二の回転角度で回転させて羽根車のすすぎを行うことを特徴とするものであり、これにより、羽根車の、再付着の影響が最も大きい洗浄液貯水面以下のすすぎと共に、それより上部のすすぎも行うことができるので、羽根車の洗浄度合いを向上させることができるという効果を奏する。また、オリフィスもしくはケーシング前面板に散水ノズルを備えることで送風性能への影響も及ぼしにくい。
【００２１】
以下、本発明の実施の形態について図面を参照しながら説明する。
【００２２】
（実施の形態１）
図１に示すように、レンジフード１は、本体２を壁面３に設置し、排出口４にダクト５を接続して屋外と連通している。本体２は、調理器具（図示せず）の上方で調理器具から発生する油煙や周囲に浮遊する埃等を捕集できるようにフード部６を備えた箱体であって、フード部６の下面７に吸込口８、天面９に排出口４を備えている。
【００２３】
本体２の内部には、電動機１０により回転するかご型円筒形の羽根車１１を備えた送風機１２を備えている。図２に示すように、羽根車１１には、シロッコファン、ターボファン、エアホイルファン、プレートファン、ターボブロアのように、いくつかの種類があり、本発明はこのいずれにも適用可能であるが、ここではシロッコファン（遠心ファン）を代表例として用いる。すなわち、羽根車１１は、羽根車開口部１３を備えるかご型円筒形状を有している。
【００２４】
送風機１２は、羽根車１１に加えて、この羽根車１１を回転させる電動機１０と羽根車１１を包囲するケーシング１４を備えたシロッコファンである。
【００２５】
図３および図４に示すように、羽根車１１（ここではシロッコファンを用いる）は、少なくとも、複数のブレード１５と環状の側板１６と円形の主板１７で構成されている。ブレード１５は、送風機１２の送風機流入口１８側に位置する側板１６と電動機１０側に位置する主板１７によって両端部を挟み込むようにして配置している。
【００２６】
また、主板１７は中心部が羽根車１１の内側に隆起した構成とすれば、乾燥運転工程の際に羽根車表面に残った洗浄液が遠心力で離れやすくなり、乾燥しやすくなるため好ましい。なお、主板１７は平面でもよく、一部に凹凸を備えていても良い。
【００２７】
羽根車１１の内周部には、リング状の油捕集機構部１９を取り付けており、送風機流入口１８から吸い込まれた油煙が油捕集機構部１９に衝突することで油煙に含まれる油汚れが捕集される。すなわち、油捕集機構部は油煙と接触する表面積が大きいほど捕集される油量を多くすることができ、互いに一定距離（例えば、１５ｍｍ）を離して、複数枚（ここでは８枚）設置するのが好ましいが、例えば羽根車１１の側板１６側から主板１７側に向かうにつれて設置距離を狭くするというように、設置間隔を変えることもできる。
【００２８】
図５に示すケーシング１４には、送風機流入口１８と送風機吹出口２０が備えられている。
【００２９】
ケーシング１４は、スクロール板２１と、このスクロール板２１を挟むように配置したケーシング前面板２２とケーシング背面板２３と、舌部２４と、スクロール板２１の長手方向において、舌部２４側と反対方向の延長上に備えた延設板２５と、舌部２４の延長上に備えた延長設板２６とを備えている。なお、ケーシング１４において、送風機能を実現するためには延設板２５と延長設板２６は必須ではない。
【００３０】
ケーシング前面板２２とケーシング背面板２３は、羽根車１１の高さ方向に対応して間隔を開けて配置した平面板である。
【００３１】
スクロール板２１は、羽根車１１の外周で、舌部２４を基点として羽根車１１の回転方向に向って風路を拡大する曲面板である。延設板２５はスクロール板２１をさらに送風機吹出口２０へ延設した平面板である。また、延長設板２６は、舌部２４の反回転方向側から送風機吹出口２０へ延設した平面板である。
【００３２】
また、スクロール板２１は、ケーシング１４の側面主要部として配置されており、舌部２４から羽根車１１の回転方向に約３００度の範囲を占めている。
【００３３】
送風機吹出口２０は、ケーシング１４の側面部において、ケーシング前面板２２とケーシング背面板２３と延設板２５、延長設板２６のそれぞれ端部に囲まれて形成している。また、延設板２５、延長設板２６を備えない場合には、ケーシング前面板２２とケーシング背面板２３、スクロール板２１、舌部２４のそれぞれ端部に囲まれて形成すればよい。
【００３４】
図６に示すように、ケーシング１４は、ケーシング前面板２２の略中央部にオリフィス２７を備えており、送風機流入口１８はオリフィス２７の内周部にある。すなわち、油煙はオリフィス２７の表面を撫でるようにして送風機１２に流入するので、オリフィス２７の断面形状は半円形のような、なめらかで風路を妨げないものがよい。
【００３５】
また、図１で示すように、ケーシング１４は、本体２内部で、ケーシング前面板２２とケーシング背面板２３を立てるように配置している。すなわち、羽根車１１は、回転軸２８を横にして配置し、送風機吹出口２０を上方へ向けて配置している。
【００３６】
そして、送風機吹出口２０は、本体２の排出口４へ接続されている。送風機流入口１８は、本体２内部に開口し、吸込口８に連通している。
【００３７】
洗浄装置２９は、送風機１２のケーシング１４でもある洗浄ケーシング３０と、洗浄液３１を貯水する貯水装置３２と、給水ポンプ３３と、羽根車１１に洗浄液３１を散水する散水ノズル３４と排水トレイ３５を備えている。
【００３８】
給水ポンプ３３は、貯水装置３２に貯水した洗浄液３１を散水ノズル３４へ送水するためのものである。
【００３９】
また、洗浄ケーシング３０は、ブレード１５と油捕集機構部１９の洗浄の際に洗浄液３１を貯めることができる機体であって、下端部に前記洗浄液３１を貯排する開閉弁３６を設け、開閉弁３６の下方に排水トレイ３５を配置している。洗浄ケーシング３０として洗浄液３１の貯液量は、ブレード１５と油捕集機構部１９が浸る程度あれば良い。
【００４０】
上記構成において、調理で油煙が発生しているときに電動機１０（好ましくはＤＣモータ）を作動させると、羽根車１１が回転し、油煙や埃を含んだ空気が吸込口８から吸い込まれ、本体２内で羽根車１１内を通過する際、油や埃がリング状の油捕集機構部１９に衝突してくっつき捕集され、それらが除去された空気が洗浄ケーシング３０内を通った後、排出口４を介してダクト５を通って屋外に排出される。
【００４１】
これを繰り返すと、油捕集機構部１９、羽根車１１のブレード１５および主板１７に油や埃が蓄積されていき、目詰まりを発生させ、排出風量の低下を招いたり、美観が損なわれたりすることとなる。そこで、排出風量の低下を防ぐために、油捕集機構部１９、羽根車１１のブレード１５の洗浄を行うこととなる。
【００４２】
まず、洗浄工程では、電動機１０を停止させ、開閉弁３６を閉じ、給水ポンプ３３により貯水装置３２に貯めた洗浄液３１の一部を汲み上げ散水ノズル３４に供給すると、洗浄液３１は洗浄ケーシング３０に貯水される。次に、電動機１０を稼動し羽根車１１を回転させることで、油捕集機構部１９の全周と羽根車１１のブレード１５が洗浄液３１に浸漬され、洗浄される。この時点で、洗浄ケーシング３０に貯水された洗浄液３１には羽根車から剥離した油、埃汚れが浮遊した状態となっている。続いて、洗浄液排出工程では、電動機１０を停止し羽根車１１の回転を止め、開閉弁３６を開いて洗浄ケーシング３０内の洗浄液３１を排水トレイ３５に移動させる。この時、洗浄液３１に浮遊している油、埃汚れの一部が羽根車１１に再付着してしまうため、ふたたび給水ポンプ３３を稼動し貯水装置３２から残りの洗浄液３１を散水ノズル３４に供給し、羽根車１１のすすぎを行う。そして、すすぎに用いた洗浄液３１の排水が終わった後、乾燥運転工程では電動機１０を稼動し羽根車１１を回転させ、送風と遠心力を利用して乾燥させる。
【００４３】
以上、一連の工程によれば、洗浄液排出工程時に羽根車の洗浄液貯水面Ａ−Ａ’よりも上部に位置する部位には再付着が見られないか、ほぼ無い状態となるが、洗浄液貯水面Ａ−Ａ’以下の部分には多くの汚れが再付着する。しかし再付着部が限定されることによって、この部分をすすぎするよう散水ノズル３４の位置を最適化することが可能となり、これにより羽根車１１の洗浄度合いを従来より高めることができる。
【００４４】
本実施の形態では、ケーシング１４を備えた送風機について説明したが、洗浄ケーシング３０としては、スクロール板２１と、ケーシング前面板２２とケーシング背面板２３と、舌部２４と、延設板２５と、延長設板２６とを必ずしもすべて備えていなくても良い。すなわち、ケーシング前面板２２とケーシング背面板２３とこれに挟まれたスクロール板２１とで機体を形成すれば洗浄液３１を貯水することができ、羽根車１１の洗浄を行うことができる。また、この場合、スクロール板２１は、風路を徐々に拡大するものでなくても良い。羽根車１１の回転軸２８より下方を包囲するものであれば洗浄液３１にブレード１５および油捕集機構部１９を浸すことができるからである。特に、プレートファンや風路を徐々に拡大するスクロール板までは必要としないターボファンの場合に適用できるものである。
【００４５】
また、貯水装置３２への洗浄液３１の給水は高温であっても良く、界面活性剤やアルカリ塩などの添加剤を加えたものでも良い。
【００４６】
洗浄液３１として水道水を利用する場合、貯水装置３２は上下水道に直結した構成としても良く、その場合は、貯水装置３２と、排水トレイ３５と、散水ノズル３４からの散水に充分な水圧を得られる場合は給水ポンプ３３を省略することができ、貯水装置３２への洗浄液の供給や排水トレイ３５に貯まった洗浄液を捨てる手間を省くことができる。一方で、本実施の形態によれば羽根車１１のすすぎ部位を特定できるため、すすぎに使用する水量を抑えることができ、貯水装置３２や排水トレイ３５の容量を従来と同等に保ちながらも羽根車１１の洗浄度合いを向上させるものである。
【００４７】
また、本実施の形態では、オリフィス２７に散水ノズル３４を備えた例を示す。
【００４８】
図６に示すように、散水ノズル３４の位置は、羽根車１１の洗浄液貯水面Ａ−Ａ’よりも下方に浸漬しているブレード１５と油捕集機構部１９に洗浄液３１を噴射することができれば良く、羽根車開口部１３の開口側である洗浄ケーシング３０のオリフィス２７上もしくはケーシング前面板２２上であれば容易に行うことができ、好ましくは噴射口３７を斜め下向きに設置すれば停止時の噴射口３７の残水がなく、残水に含まれるスケールによるノズル詰まりを抑制することができる。
【００４９】
また、散水ノズル３４は複数配置させても良く、噴射形状は丸形のみでなくホロコーンやスリットなどでも良い、また散水ノズル３４を可動式にすることで散水の方向を可変できるようにしてもよい。
【００５０】
上記構成とすれば、前面の羽根車開口部１３から、羽根車１１の洗浄液貯水面Ａ−Ａ’よりも下部に向かって直接的に洗浄液３１を散水することができるため、汚れの再付着部位を容易に洗浄することができ、羽根車の洗浄度合いを向上させることができる。
【００５１】
オリフィス２７は油煙の流れにより油汚れが付着しやすく、それ自体が汚れやすい部材であるため洗浄を行ったり、羽根車１１の取り付け、取り外しを行ったりするために取り外し可能な方法でケーシング前面板２２に固定されており、オリフィス２７に散水ノズル３４を備えた場合、オリフィス２７と共に散水ノズル３４の取り付け、取り外しも容易に行うことができるため、散水ノズル３４の交換やメンテナンスを容易に行うことができるという効果を奏する。
【００５２】
一方で、オリフィス２７は送風の際に表面を油煙が撫でるように吸引されるため、散水ノズル３４を設置することで送風性能に影響が出ることも考えられるが、ケーシング前面板２２に散水ノズル３４を備えれば送風への影響は低減でき、またすすぎ性能としてはオリフィス２７に散水ノズル３４を設置した場合と同等の効果を得ることができる。
【００５３】
本実施の形態の洗浄工程とすすぎ工程について、図７のフローチャートを用いて説明する。フローチャートで示す各動作は、制御部（図示せず）のメモリ（図示せず）に格納されたプログラムをもとにマイコン（図示せず）からの制御により実行されるものである。
【００５４】
洗浄工程では、電動機１０を停止させ（Ｓ１）、開閉弁３６を閉じ（Ｓ２）、給水ポンプ３３により貯水装置３２に貯めた洗浄液３１の一部を汲み上げ散水ノズル３４に供給する（Ｓ３）。所定時間経過後（Ｓ４）、洗浄液３１は洗浄ケーシング３０に貯水されるので給水ポンプを停止する（Ｓ５）。次に、電動機１０を稼動し羽根車１１を回転させることで（Ｓ６）、油捕集機構部１９の全周と羽根車１１のブレード１５が洗浄液３１に浸漬され、洗浄される。所定時間経過後（Ｓ７）、洗浄ケーシング３０に貯水された洗浄液３１には羽根車から剥離した油、埃汚れが浮遊した状態となっている。続いて、電動機１０を停止し（Ｓ８）、羽根車１１の回転を止め、開閉弁３６を開いて（Ｓ９）、洗浄ケーシング３０内の洗浄液３１を排水トレイ３５に移動させる。この時、洗浄液３１に浮遊している油、埃汚れの一部が羽根車１１に再付着してしまうため、ふたたび給水ポンプ３３を稼動し貯水装置３２から残りの洗浄液３１を散水ノズル３４から供給し（Ｓ１０）、羽根車１１のすすぎを行う。そして、所定時間経過後（Ｓ１１）、給水ポンプを停止し（Ｓ１２）、すすぎ工程が完了する。
【００５５】
なお、本実施の形態のフローチャートでは、開閉弁３６の開放（Ｓ９）後に、給水ポンプ３３を稼動し貯水装置３２から残りの洗浄液３１を散水ノズル３４から供給する（Ｓ１０）、としたが、開閉弁３６の開放（Ｓ９）と散水ノズル３４からの供給（Ｓ１０）の間に所定時間の経過をカウントする工程を設け、洗浄ケーシング内から所定量の洗浄液が排水された後に散水ノズル３４から洗浄液を供給してもよい。
【００５６】
（実施の形態２）
本実施の形態では、実施の形態１と同一の構成要件については同一の符号を付し、その詳細な説明は省略する。
【００５７】
図８に示すように、スクロール板２１の舌部２４側であり、洗浄液貯水面Ａ−Ａ’より上部に散水ノズル３４を設け、散水ノズル３４から洗浄液３１を噴出した際、洗浄液３１が羽根車１１に接触する点をＸとする。また、洗浄液排出工程で羽根車１１の回転を停止させた時、洗浄ケーシング３０の洗浄液貯水面Ａ−Ａ’と交わる羽根車１１の外周円上の２点のうち、回転方向に対して進行側をＹ、もう１点をＺと置いた時、Ｘと回転軸２８とＹが構成する回転角度を第一の回転角度θ、Ｙと回転軸２８とＺが構成する回転角度を第二の回転角度θ２とし、洗浄液排出工程において羽根車１１が洗浄液３１から露出した後に羽根車１１を第一の回転角度θで回転させ、散水ノズル３４から羽根車１１に洗浄液３１を散水しながら、さらに第二の回転角度θ２で回転させてすすぎを行う。
【００５８】
洗浄液排出工程において、羽根車１１の洗浄液貯水面Ａ−Ａ’以下に浸漬している部位に洗浄液３１に浮遊している汚れが再付着することは前述の通りであるが、洗浄工程で羽根車１１の回転方向に対して進行側のブレード１５が洗浄液貯水面Ａ−Ａ’より上部に露出する際に洗浄液３１を上部へかきあげているため、洗浄工程終了時に洗浄液貯水面Ａ−Ａ’より上部に位置する部位にも、洗浄液貯水面Ａ−Ａ’以下に再付着する量より少量ではあるものの、再付着が見られる場合がある。
【００５９】
しかし、本実施の形態２の構成とすれば羽根車１１の上部へも洗浄液３１を噴出することができ、羽根車１１の洗浄度合いを従来よりも向上させることができる。
【００６０】
実施の形態２の洗浄工程とすすぎ工程について、図９のフローチャートを用いて説明する。
【００６１】
実施の形態１と同様に、フローチャートで示す各動作は、制御部（図示せず）のメモリ（図示せず）に格納されたプログラムをもとにマイコン（図示せず）からの制御により実行されるものである。
【００６２】
洗浄工程では、電動機１０を停止させ（Ｓ２１）、開閉弁３６を閉じ（Ｓ２２）、給水ポンプ３３により貯水装置３２に貯めた洗浄液３１の一部を汲み上げ散水ノズル３４に供給する（Ｓ２３）。所定時間経過後（Ｓ２４）、洗浄液３１は洗浄ケーシング３０に貯水されるので給水ポンプを停止する（Ｓ２５）。次に、電動機１０を稼動し羽根車１１を回転させることで（Ｓ２６）、油捕集機構部１９の全周と羽根車１１のブレード１５が洗浄液３１に浸漬され、洗浄される。所定時間経過後（Ｓ２７）、洗浄ケーシング３０に貯水された洗浄液３１には羽根車から剥離した油、埃汚れが浮遊した状態となっている。続いて、電動機１０を停止し（Ｓ２８）、羽根車１１の回転を止め、開閉弁３６を開いて（Ｓ２９）、洗浄ケーシング３０内の洗浄液３１を排水トレイ３５に移動させる。所定時間経過すると（Ｓ３０）、羽根車１１が洗浄液３１から露出するので、電動機１０を稼働し、羽根車１１を第一の回転角度θで回転させ（Ｓ３１）、散水ノズル３４から羽根車１１に洗浄液３１を散水（Ｓ３２）しながら、さらに第二の回転角度θ２で回転させ（Ｓ３３）ることで羽根車１１のすすぎを行う。羽根車を第二の回転角度θ２で回転させた後、給水ポンプを停止し（Ｓ３４）、すすぎ工程が完了する。
【産業上の利用可能性】
【００６３】
本発明にかかるレンジフードは、羽根車のブレードと油捕集機構部の洗浄を従来よりも効果的に行い洗浄度合いを向上させると共に、洗浄液の節水を可能にするものであり、同様の機能が付いた換気装置にも適用することができる。
【符号の説明】
【００６４】
１    レンジフード
２    本体
３    壁面
４    排出口
５    ダクト
６    フード部
７    下面
８    吸込口
９    天面
１０    電動機
１１    羽根車
１２    送風機
１３    羽根車開口部
１４    ケーシング
１５    ブレード
１６    側板
１７    主板
１８    送風機流入口
１９    油捕集機構部
２０    送風機吹出口
２１    スクロール板
２２    ケーシング前面板
２３    ケーシング背面板
２４    舌部
２５    延設板
２６    延長設板
２７    オリフィス
２８    回転軸
２９    洗浄装置
３０    洗浄ケーシング
３１    洗浄液
３２    貯水装置
３３    給水ポンプ
３４    散水ノズル
３５    排水トレイ
３６    開閉弁
３７    噴射口
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    貯水装置
１１４    給水ポンプ
１１５    散水ノズル
１１６    孔
１１７    開閉弁
１１８    排水トレイ
１１９    主板
１２０    ブレード
１２１    油捕集機構部
【図１】
2018004101.tif 000003
【図２】
2018004101.tif 000004
【図３】
2018004101.tif 000005
【図４】
2018004101.tif 000006
【図５】
2018004101.tif 000007
【図６】
2018004101.tif 000008
【図７】
2018004101.tif 000009
【図８】
2018004101.tif 000010
【図９】
2018004101.tif 000011
【図１０】
2018004101.tif 000012
【図１１】
2018004101.tif 000013
【図１２】
2018004101.tif 000014